【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
受信した音声信号のうち雑音が混入した雑音混入区間を検出する検出手段と、
前記雑音混入区間の前の音素と後の音素とが同じか異なるかを判定する判定手段と、
前記雑音混入区間の前方の音声信号と後方の音声信号とを用いて前記雑音混入区間のための補間信号を生成し、前記雑音混入区間の音声信号を前記補間信号により置き換えることで雑音を低減させる雑音低減手段と、
を有し、
前記雑音低減手段は、前記判定手段の判定結果に応じて前記補間信号を生成することを特徴とする信号処理装置。
【請求項２】
前記雑音低減手段は、
前記雑音混入区間の前方の音声信号を複製することにより第１の予測信号を生成し、
前記雑音混入区間の後方の音声信号を複製することにより第２の予測信号を生成し、
前記第１の予測信号と前記第２の予測信号とをクロスフェードさせて前記補間信号を生成し、
前記判定手段の判定結果に応じて、前記クロスフェードにおける前記第１の予測信号と前記第２の予測信号とを重複させる時間長を調整することを特徴とする請求項１に記載の信号処理装置。
【請求項３】
前記雑音低減手段は、前記第１の予測信号と前記第２の予測信号それぞれに対して窓関数をかけることにより前記補間信号を生成し、前記雑音混入区間の前の音素と後の音素とが異なると判定された場合、前記雑音混入区間の前の音素と後の音素とが同じであると判定された場合よりも前記第１の予測信号と前記第２の予測信号とを重複させる時間長が短くなるように、前記窓関数を調節することを特徴とする請求項２に記載の信号処理装置。
【請求項４】
前記雑音低減手段は、前記雑音混入区間の時間長が所定の時間長を超える場合、前記クロスフェードによって前記第１の予測信号と前記第２の予測信号とが重複しないように前記窓関数を調節することを特徴とする請求項３に記載の信号処理装置。
【請求項５】
前記雑音低減手段は、前記第１の予測信号と前記第２の予測信号とが重複しないように前記窓関数を調節したことにより、前記第１の予測信号と前記第２の予測信号との間に無音区間ができた場合、前記無音区間にコンフォートノイズを加えることを特徴とする請求項４に記載の信号処理装置。
【請求項６】
前記判定手段は、
前記前方における第１参照区間の音声信号に対する前記前方における第１算出区間の音声信号の相関の最大値である第１最大値を算出し、
前記後方における第２参照区間の音声信号に対する前記後方における第２算出区間の音声信号の相関の最大値である第２最大値を算出し、
前記第１参照区間の音声信号に対する前記第２算出区間の音声信号の相関の最大値である第３最大値を算出し、
前記第２参照区間の音声信号に対する前記第１算出区間の音声信号の相関の最大値である第４最大値を算出し、
前記第３最大値に対する前記第１最大値の比と、前記第４最大値に対する前記第２最大値の比とがそれぞれ所定範囲内にある場合に、前記雑音混入区間の前の音素と後の音素とが同じであると判定する
ことを特徴とする請求項１乃至５のいずれか１項に記載の信号処理装置。
【請求項７】
前記判定手段による判定の前に、前記雑音混入区間の前後で音圧レベルを正規化する手段を更に有することを特徴とする請求項６に記載の信号処理装置。
【請求項８】
前記雑音低減手段は、前記雑音混入区間の時間長が所定の時間長以上である場合、前記判定手段の判定結果に基づいて前記補間信号の生成処理を変更し、前記雑音混入区間の時間長が前記所定の時間長より短い場合、前記判定手段の判定結果に基づく前記補間信号の生成処理の変更を行わないことを特徴とする請求項１に記載の信号処理装置。
【請求項９】
前記判定手段は、前記雑音混入区間の前後の音圧レベルの差が所定範囲内である場合に、前記雑音混入区間の前の音素と後の音素とが同じであると判定することを特徴とする請求項１に記載の信号処理装置。
【請求項１０】
撮像手段を備え、
前記検出手段は、前記受信した音声信号のうち、前記撮像手段の駆動によって発生した雑音が混入した区間を、前記雑音混入区間として検出することを特徴とする請求項１に記載の信号処理装置。
【請求項１１】
検出手段が、受信した音声信号のうち雑音が混入した雑音混入区間を検出する検出ステップと、
判定手段が、前記雑音混入区間の前の音素と後の音素とが同じか異なるかを判定する判定ステップと、
雑音低減手段が、前記雑音混入区間の前方の音声信号と後方の音声信号とを用いて前記雑音混入区間のための補間信号を生成し、前記雑音混入区間の音声信号を前記補間信号により置き換えることで雑音を低減させる雑音低減ステップと、
を有し、
前記雑音低減ステップにおいて、前記雑音低減手段は、前記判定ステップでの判定結果に応じて前記補間信号を生成することを特徴とする信号処理方法。
【手続補正２】
【補正対象書類名】明細書
【補正対象項目名】発明の名称
【補正方法】変更
【補正の内容】
【発明の名称】信号処理装置及び方法
【手続補正３】
【補正対象書類名】明細書
【補正対象項目名】０００８
【補正方法】変更
【補正の内容】
【０００８】
本発明の一側面によれば、受信した音声信号のうち雑音が混入した雑音混入区間を検出する検出手段と、前記雑音混入区間の前の音素と後の音素とが同じか異なるかを判定する判定手段と、前記雑音混入区間の前方の音声信号と後方の音声信号とを用いて前記雑音混入区間のための補間信号を生成し、前記雑音混入区間の音声信号を前記補間信号により置き換えることで雑音を低減させる雑音低減手段とを有し、前記雑音低減手段は、前記判定手段の判定結果に応じて前記補間信号を生成することを特徴とする信号処理装置が提供される。
【手続補正４】
【補正対象書類名】明細書
【補正対象項目名】００４１
【補正方法】変更
【補正の内容】
【００４１】
一方、図７を用いて雑音混入区間の前後で音素が異なる場合について説明する。上述したように、図７は、発音「おだ」における音素/d/を含む部分に雑音が混入した例であり、雑音混入区間の前の音素は/o/であるのに対し、雑音混入区間の後の音素は/a/に変化している。この場合、図７（ｅ）に示すように、ｃｏｒ＿ｒｆとｃｏｒ＿ｒｒとの間に大きな差はないが、図７（ｃ）に示すように、ｃｏｒ＿ｆｆとｃｏｒ＿ｆｒとの間では値が大きく異なっている。Ｓ１００７で、上式（１）及び（２）を満たさない場合、雑音混入区間の前後で音素が異なると判断され、処理はＳ１０１２に進む。
【手続補正５】
【補正対象書類名】明細書
【補正対象項目名】００６１
【補正方法】変更
【補正の内容】
【００６１】
＜実施形態３＞
図１５は、実施形態３における、デジタル一眼レフカメラと情報処理装置を含むシステムを示した図であり、デジタル一眼レフカメラ１００と情報処理装置１７０とが通信ケーブル１５１によって接続されていることを示している。図１６は、デジタル一眼レフカメラ１００及び情報処理装置１７０のブロック図である。本実施形態におけるデジタル一眼レフカメラ１００のカメラボディ１０１には、外部装置との通信を行うための通信コネクタ１４１が設けられている。この通信コネクタ１４１は、情報処理装置１７０の通信コネクタ１７４と、通信ケーブル１５１を介して接続されている。図１３及び図１４において、第１の実施形態と同一の構成要素には同一の符号を付し、その説明を省略する。